(57)【要約】【課題】  ＤＤＳ駆動による表示内容の書き換えに要する時間を短くすることが可能で、且つ、ＤＤＳ駆動による消費電力を小さくすることが可能な表示装置を提供すること。【解決手段】  左側ドライバ２０1と右側ドライバ２０2とにＤＤＳ駆動を選択期間の半分の期間遅らせて順次開始させるようにした。そのため、左側ドライバ２０1と右側ドライバ２０2とでコレステリック液晶パネル１９1,2にほぼ同時に書き換えを行うことができ、ＤＤＳ駆動による書き換えに要する時間を短くすることができる。また、リセット期間中や保持期間中は、各コレステリック液晶パネル１９1,2の印加電圧を異なるタイミングで上下させ、コレステリック液晶パネル１９1,2毎に印加電圧が最大となるタイミングをずらすことができ、ＤＤＳ駆動による消費電力を小さくすることができる。【選択図】    図２
2006064912.tif 000002
【特許請求の範囲】
【請求項１】
コレステリック液晶パネルに形成された複数の表示領域と、それら複数の表示領域それぞれに対応して設けられ、対応する表示領域にパルス状の電圧パターンを印加可能な複数の駆動回路と、前記複数の表示領域それぞれに所定情報が表示されるように、対応する表示領域をＤＤＳ駆動させる電圧パターンを前記駆動回路に印加させる制御回路とを備え、
前記制御回路は、対応する表示領域をＤＤＳ駆動させる電圧パターンを１の駆動回路に印加させているときに、前記１の駆動回路と他の駆動回路とに印加させる最大電圧の開始タイミングが異なるように、対応する表示領域をＤＤＳ駆動させる電圧パターンの印加を前記他の駆動回路に開始させることを特徴とする情報表示装置。
【請求項２】
前記制御回路は、前記１の駆動回路と前記他の駆動回路とに印加させる最大電圧の開始タイミングが１パルス幅以上異なるように、対応する表示領域をＤＤＳ駆動させる電圧パターンの印加を前記他の駆動回路に開始させることを特徴とする請求項１に記載の情報表示装置。
【請求項３】
前記駆動回路でＤＤＳ駆動を行うための電力を蓄積する電力蓄積手段と、その電力蓄積手段に蓄積されている電力の残量を検出する残量検出手段と、その検出された残量が所定閾値以下であるときには前記複数の駆動回路に前記ＤＤＳ駆動を順番に行わせる動作状態設定手段とを備えたことを特徴とする請求項１又は２に記載の情報表示装置。
【発明の詳細な説明】
【技術分野】
【０００１】
本発明は、コレステリック液晶パネルに所定情報を表示させる情報表示装置に関する。
【背景技術】
【０００２】
従来、この種の情報表示装置としては、光を透過するフォーカルコニック配向と光を反射するプレーナ配向とを画素毎に切り替え可能なコレステリック液晶パネルが前面側に配されるとともに、そのコレステリック液晶パネルを透過した光を吸収する光吸収板が背面側に配されたものがある。そして、このような情報表示装置にあっては、光を透過する画素、つまり、透明な画素に光吸収板の色（例えば、黒色）が表示され、光を反射する画素に反射光の色（例えば、白濁色）が表示され、その結果、白地に黒色の文字等を含む画像が前面側に表示されるようになっている。
【０００３】
また、コレステリック液晶パネルの任意の画素の状態（フォーカルコニック配向、プレーナ配向）を高速に切り替える方法、つまり、コレステリック液晶パネルの表示内容を書き換える方法としては、ＤＤＳ(Dynamic Drive Scheme)駆動方法が知られている（例えば、特許文献１参照。）。このＤＤＳ駆動方法は、コレステリック液晶パネルを画素列毎にパイプライン形式で駆動させる方法であって、リセット期間（駆動対象である画素列の全画素をホメオトロピック配向に遷移させる電圧を印加する期間）と、選択期間（前記画素列の任意の画素をホメオトロピック配向に維持するか、プレーナ配向に遷移開始させるか選択する電圧を印加する期間）と、保持期間（ホメオトロピック配向である画素の配向状態を保持するともに、プレーナ配向である画素をフォーカルコニック配向に遷移させる電圧を印加する期間）とからなっている。なお、リセット期間と保持期間とには、プレーナ配向遷移及びフォーカルコニック配向遷移で一定パターンの交流電圧（２又は４段階の電圧パターン）を印加するようになっており、リセット期間と保持期間を各ライン同時に選択できることから、パイプライン処理が可能となり、高速書換えを実現している。
【特許文献１】米国特許第５７４８２７７号
【発明の開示】
【発明が解決しようとする課題】
【０００４】
しかしながら、上記従来の技術にあっては、リセット期間と保持期間とには、常に一定パターンで上下する交流電圧を印加するようになっているため、例えば、通常の書籍のように左右に並べられた２枚のコレステリック液晶パネルそれぞれに情報を表示させるようにした場合、それらコレステリック液晶パネルでＤＤＳ駆動が同時に開始されるようにすると、リセット期間中や保持期間中は、２枚のコレステリック液晶パネルで印加電圧が同時に上下してしまう。そのため、その上下によって印加電圧が最大となる瞬間に大きな電圧降下が生じてしまい、また、それら２枚のコレステリック液晶パネルに印加された交流電圧の和の二乗に比例して消費される電力が増大することで、例えば、ＤＤＳ駆動を行うための電力として電池が用いられている場合、電池の持ち時間が短くなる恐れがあった。
【０００５】
また、書き換えに要する消費電力が小さくなるように、例えば、一方のコレステリック液晶パネルでＤＤＳ駆動が完了した後に、他方のコレステリック液晶パネルでＤＤＳ駆動が開始されるようにすると、２枚のコレステリック液晶パネルでＤＤＳ駆動が同時に開始される場合に比べ、表示内容の書き換えに２倍の時間がかかってしまう問題があった。
本発明は、上記従来技術の未解決の課題を解決することを目的とするものであって、ＤＤＳ駆動による表示内容の書き換えに要する時間を短くすることが可能で、且つ、ＤＤＳ駆動による消費電力を小さくすることが可能な表示装置を提供することを目的とする。
【課題を解決するための手段】
【０００６】
上記課題を解決するために、第１の発明である情報表示装置は、コレステリック液晶パネルに形成された複数の表示領域と、それら複数の表示領域それぞれに対応して設けられ、対応する表示領域にパルス状の電圧パターンを印加可能な複数の駆動回路と、前記複数の表示領域それぞれに所定情報が表示されるように、対応する表示領域をＤＤＳ駆動させる電圧パターンを前記駆動回路に印加させる制御回路とを備え、前記制御回路は、対応する表示領域をＤＤＳ駆動させる電圧パターンを１の駆動回路に印加させているときに、前記１の駆動回路と他の駆動回路とに印加させる最大電圧の開始タイミングが異なるように、対応する表示領域をＤＤＳ駆動させる電圧パターンの印加を前記他の駆動回路に開始させることを特徴とする。なお、コレステリック液晶パネルの数は、いくつでもよく、例えば、１つであってもよいし、２つ以上（複数）であってもよい。
【０００７】
この第１の発明によれば、複数の液晶駆動回路でコレステリック液晶パネルにほぼ同時に書き換えを行うことができ、例えば、ある１つの液晶駆動回路でＤＤＳ駆動が終了した後に、他の１つの液晶駆動回路でＤＤＳ駆動を開始する方法に比べ、ＤＤＳ駆動による表示内容の書き換えに要する時間を短くすることができる。また、リセット期間中や保持期間中は、各コレステリック液晶パネルの印加電圧を異なるタイミングで上下させ、コレステリック液晶パネル毎に印加電圧が最大となるタイミングをずらすことができ、例えば、複数の液晶駆動回路でＤＤＳ駆動を同時に開始する方法、つまり、印加電圧が同時に最大となる方法に比べ、ピーク電力が増大する時間（消費電力が増大する時間）を短くすることができ、ＤＤＳ駆動による消費電力量を小さくすることができる。
【０００８】
また、第２の発明である情報表示装置にあっては、前記制御回路は、前記１の駆動回路と前記他の駆動回路とに印加させる最大電圧の開始タイミングが１パルス幅以上異なるように、対応する表示領域をＤＤＳ駆動させる電圧パターンの印加を前記他の駆動回路に開始させることを特徴とする。
この第２の発明によれば、コレステリック液晶パネル毎に印加電圧が最大となる期間を完全にずらすことができ、例えば、複数の駆動回路でＤＤＳ駆動を同時に開始する方法、つまり印加電圧が同時に最大となる方法に比べ、ピーク電力を小さくすることができる。
【０００９】
さらに、第３の発明である情報表示装置にあっては、前記駆動回路でＤＤＳ駆動を行うための電力を蓄積する電力蓄積手段と、その電力蓄積手段に蓄積されている電力の残量を検出する残量検出手段と、その検出された残量が所定閾値以下であるときには前記複数の駆動回路に前記ＤＤＳ駆動を順番に行わせる動作状態設定手段とを備えたことを特徴とする。なお、電力蓄積手段としては、乾電池や、蓄電池等を挙げることができる。
【００１０】
この第３の発明によれば、例えば、複数のコレステリック液晶パネルに同時に印加する交流電圧の和の瞬間的な最大値より蓄積手段で出力可能な電圧が小さいとき、つまり、前記交流電圧の和の最大値が出力できないくらいに電力の残量が小さいときに、各駆動回路に１つずつＤＤＳ駆動を行わせることで、ＤＤＳ駆動による電圧降下量をより小さくすることができ、ＤＤＳ駆動を行うための電池をより長い時間持たせることができる。
【発明を実施するための最良の形態】
【００１１】
以下、本発明の情報表示装置の実施形態として、所定のページに区切られた複数のコンテンツを閲覧するための電子ブックリーダに適用した例を図面に基づいて説明する。
＜第１実施形態＞
図１は、本実施形態の電子ブックリーダの外観を示す概略構成図である。この電子ブックリーダ１は、中央部で折り畳み可能であって、電子ブックリーダ１を開いたときの左右両側それぞれに表示装置９1、2が配されたものである。そして、この電子ブックリーダは、それら左右の表示装置９1、2に、それぞれ連続するページのコンテンツを表示させることで、通常の書籍と同様のページ配置でコンテンツを提示できるようになっている。
【００１２】
＜電子ブックリーダの構成＞
図２は、本実施形態の内部構成を示すブロック図である。この図２に示すように、電子ブックリーダ１は、ページ捲りボタン２、Ｉ／Ｆ（InterFace）３、ＣＰＵ（Central Processing Unit）４、ＲＡＭ（Random Access Memory）５、ＲＯＭ(Read Only Memory)６、ＶＲＡＭ（Video Ram）７、ディスプレイコントローラ８、表示装置９1、2を含んで構成される。そして、電子ブックリーダ１は、ページ捲りボタン２及び表示装置９1、2を除く各部がバス１０で互いにデータ授受可能に接続されている。
【００１３】
ページ捲りボタン２は、図１に示すように、前面側の平面視左下部に配され、利用者が押し込み操作可能な三角ボタン状に形成されている。そして、ページ捲りボタン２は、利用者によって押し込み操作されると、それまで表示装置９1、2に表示されていたコンテンツの２ページ後のコンテンツ（通常の書籍を１ページ捲ったときに現れるコンテンツ（以下、「次ページコンテンツ」とも呼ぶ。）をそれぞれ表示装置９1、2に切換表示させる（書き換える）指令（以下、「ページ捲り指令」とも呼ぶ。）をＩ／Ｆ３に出力する。
【００１４】
また、Ｉ／Ｆ３は、図２に示すように、ページ捲りボタン２からページ捲り指令が出力されると、その出力されたページ捲り指令を、所定の形式でＣＰＵ４に入力する。
さらに、ＣＰＵ４は、Ｉ／Ｆ３からページ捲り指令が出力されると、次ページコンテンツの画像データ（ラスタデータ）を生成し、その画像データをＶＲＡＭ７に格納させる。
【００１５】
また、ＣＰＵ４は、Ｉ／Ｆ３からページ捲り指令が出力されると、表示装置９1、2を書き換えるためのページ捲り処理（後述）を実行する。そして、ＣＰＵ４は、ページ捲り処理（後述）によって、まず、左側ステート信号（後述）をディスプレイコントローラ８（左側カウンタ回路１２（後述））に出力し、また、左側書き込み開始指令（後述）をディスプレイコントローラ８（データ変換回路１４（後述））に出力することで、左側の表示装置９1の書き換えを開始する。そして、ＣＰＵ４は、右側ステート信号（後述）をディスプレイコントローラ８（右側カウンタ回路１３）に出力した後、前記書き換えの開始から所定時間遅れて、右側書き込み開始指令（後述）をディスプレイコントローラ８（データ変換回路１４）に出力することで、右側の表示装置９2の書き換えを開始する。
【００１６】
さらに、ＲＡＭ５は、ＣＰＵ４で実行される各種プログラムを展開するためのワークエリアを形成すると共に、それら各種プログラムに係るデータを格納するためのメモリ領域を形成する。そして、ＲＡＭ５は、図２に示すように、ＣＰＵ４から読み出し要求が出力されると、その読み出し要求に応じて、格納されているデータをＣＰＵ４に出力する。
また、ＲＯＭ６は、ＣＰＵ４で実行される各種プログラム及びデータを格納する。そして、ＲＯＭ６は、ＣＰＵ４から読み出し要求が出力されると、その出力された読み出し要求に応じて、格納されている各種プログラムやデータ等をＣＰＵ４に出力する。
【００１７】
さらに、ＶＲＡＭ７は、ＣＰＵ２からの書き込み要求に従って、その書き込み要求のあった画像データを格納すると共に、ディスプレイコントローラ８からの読み出し要求に従って、その格納されている画像データをディスプレイコントローラ８に出力する。
また、ディスプレイコントローラ８は、分周回路１１、左側カウンタ回路１２、右側カウンタ回路１３、データ変換回路１４、左側ＣＯＭデータ出力１５、左側ＳＥＧデータ出力１６、右側ＣＯＭデータ出力１７及び右側ＳＥＧデータ出力１８を含んで構成される。
【００１８】
分周回路１１は、所定の水晶発振器（不図示）から出力されるクロック信号（正確な時間間隔をおいて発生する複数のパルスを含む信号）を分周し、その分周されたクロック信号（以下、「分周クロック信号」とも呼ぶ。）を左側カウンタ回路１２、右側カウンタ回路１３、データ変換回路１４、平面視左側の表示装置９1（以下、「左側表示装置９1」とも呼ぶ。）の左側ドライバ２０1（後述）及び、平面視右側の表示装置９2（以下、「右側表示装置９2」とも呼ぶ。）の右側ドライバ２０2（後述）に出力する。
【００１９】
また、左側カウンタ回路１２は、ＣＰＵ４から左側ステート信号開始指令（後述）が出力されると、分周クロック信号のパルスをカウントし、そのパルスが４つカウントされるたびに１パルス出力する信号（以下、「左側ステート信号」とも呼ぶ。）を生成する反復処理を開始する。そして、左側カウンタ回路１２は、その生成された左側ステート信号を左側表示装置９1の左側ドライバ２０1（後述）と右側カウンタ回路１３とに出力する。
【００２０】
さらに、右側カウンタ回路１３は、ＣＰＵ４から右側ステート信号開始指令（後述）が出力されると、分周回路１１から出力される分周クロック信号のパルスをカウントし、そのパルスが４つカウントされるたびに１パルス出力する信号（左側ステート信号と周期が等しい信号。以下、「右側ステート信号」とも呼ぶ。）を生成する反復処理を、左側カウンタ回路１２から出力される左側ステート信号の開始から半周期遅らせて（分周クロック信号の２パルス分の時間だけ遅らせて）開始する。そして、右側カウンタ回路１３は、その生成された右側ステート信号を右側ドライバ２０2（後述）に順次出力する。
【００２１】
また、データ変換回路１４は、ＣＰＵ４から左側書き込み開始指令（後述）が出力されると、分周回路１１から出力される分周クロック信号のパルスをカウントする。そして、データ変換回路１４は、そのパルスが４つカウントされるたびに、左側表示装置９1に表示させる画像データを平面視上側の画素列から順に１行ずつＶＲＡＭ７から読み出し、その画像データを左側ＣＯＭデータ出力１５と左側ＳＥＧデータ出力１６とに出力する。
【００２２】
さらに、データ変換回路１４は、ＣＰＵ４から右側書き込み開始指令（後述）が出力されると、分周回路１１から出力される分周クロック信号のパルスをカウントする。そして、データ変換回路１４は、そのパルスが４つカウントされるたびに、右側表示装置９2に表示させる画像データを平面視上側の画素列から順に１行ずつＶＲＡＭ７から読み出し、その画像データを右側ＣＯＭデータ出力１７と右側ＳＥＧデータ出力１８とに出力する。
【００２３】
また、左側ＣＯＭデータ出力１５は、データ変換回路１４から画像データが出力されると、その画像データが左側表示装置９1の対応画素列に表示されるように、左側表示装置９1の左側ドライバ２０1（後述）にＤＤＳ(Dynamic Drive Scheme)駆動方法を行わせる指令（以下、「左側ＣＯＭデータ」とも呼ぶ。）を生成する。そして、左側ＣＯＭデータ出力１５は、その左側ＣＯＭデータを左側ドライバ２０1（後述）に出力する。
【００２４】
さらに、左側ＳＥＧデータ出力１６は、データ変換回路１４から画像データが出力されると、その出力された画像データが左側表示装置９1の対応画素列に表示されるように、左側表示装置９1の左側ドライバ２０1（後述）にＤＤＳ駆動方法を行わせる指令（以下、「左側ＳＥＧ側データ」とも呼ぶ。）を生成する。そして、左側ＳＥＧデータ出力１６は、その生成された左側ＳＥＧ側データを左側ドライバ２０1（後述）に出力する。
【００２５】
また、右側ＣＯＭデータ出力１７は、図２に示すように、データ変換回路１４から画像データが出力されると、その画像データが右側表示装置９2の対応画素列に表示されるように、右側表示装置９2の右側ドライバ２０2（後述）にＤＤＳ駆動方法を行わせる指令（以下、「右側ＣＯＭデータ」とも呼ぶ。）を生成する。そして、右側ＣＯＭデータ出力１７は、その生成された右側ＣＯＭデータを右側ドライバ２０2（後述）に出力する。
【００２６】
さらに、右側ＳＥＧデータ出力１８は、データ変換回路１４から画像データが出力されると、その出力された画像データが右側表示装置９2の対応画素列に表示されるように、右側表示装置９2の右側ドライバ２０2（後述）にＤＤＳ駆動方法を行わせる指令（以下、「右側ＳＥＧ側データ」とも呼ぶ。）を生成する。そして、右側ＳＥＧデータ出力１８は、その生成された左側ＳＥＧ側データを左側ドライバ２０1（後述）に出力する。
ここで、ＤＤＳ駆動方法は、図４に示すように、表示装置９1又は2のコレステリック液晶パネル１９1（後述）をパイプライン形式で画素列毎に駆動することで、各画素列に画像データを表示させる方法であって、リセット期間、選択期間及び保持期間からなる。
【００２７】
リセット期間は、駆動対象である画素列の全画素をホメオトロピック配向に遷移させる電圧を印加するための駆動期間である。即ち、リセット期間にあっては、図５（ａ）に示すように、まず、分周クロック信号で２クロックの間、表示装置９1又は2の行電極（後述）の電位を第１電圧Ｖ1（８つの規定電圧Ｖ1〜Ｖ8（Ｖ1<Ｖ2<Ｖ3<Ｖ4<Ｖ5<Ｖ6<Ｖ7<Ｖ8）のうち最も小さい電圧）に維持し、次いで、分周クロック信号で２クロックの間、当該行電極（後述）の電位を第８電圧Ｖ8に維持するパターンが繰り返される。また、前記画素列内に最終的にプレーナ配向（反射状態）に遷移させる画素がある場合には、図５（ｂ）に示すように、まず、分周クロック信号で１クロックの間、当該画素に対応する列電極（後述）の電位を第８電圧Ｖ8に維持し、次いで、分周クロック信号で１クロックが経過するたびに、当該画素に対応する列電極（後述）の電位を第５電圧Ｖ5→第４電圧Ｖ4→第１電圧Ｖ1と順次変化させて維持するパターンが繰り返される。そして、図５（ｃ）に示すように、前記画素列内にある最終的にプレーナ配向に遷移させる画素に、一定パターンで変化する行電極（後述）の電位と一定パターンで変化する列電極（後述）の電位との電位差、つまり、常に一定パターンの交流電圧が印加される。
【００２８】
一方、前記画素列内に最終的にフォーカルコニック配向（透明）に遷移させる画素がある場合には、まず、分周クロック信号で１クロックの間、当該画素に対応する列電極（後述）の電位を第５電圧Ｖ5に維持し、次いで、分周クロック信号で１クロックが経過するたびに、当該画素に対応する列電極（後述）の電位を第８電圧Ｖ8→第１電圧Ｖ1→第４電圧Ｖ4と順次変化させて維持するパターンが繰り返される。そして、前記画素列内にある最終的にフォーカルコニック配向に遷移させる画素に、一定パターンで変化する行電極（後述）の電位と一定パターンで変化する列電極（後述）の電位との電位差、つまり、常に一定パターンの交流電圧が印加される。また、その際、当該画素に印加される交流電圧の実効電圧は、前記最終的にフォーカルコニック配向に遷移させる画素に印加される交流電圧の実効電圧と大きさが等しくなるものの、それらの交流電圧のパターンは互いに異なるものとなる。なお、表示装置９1又は2の列電極（後述）の電位の変化は、リセット期間から選択期間や保持期間に遷移した後も、リセット期間のときと同じ一定パターンが繰り返される。
【００２９】
また、選択期間は、前記画素列の各画素それぞれでホメオトロピック配向に維持するか、プレーナ配向に遷移開始させるか選択する電圧を印加するための駆動期間である。即ち、選択期間にあっては、図５（ａ）に示すように、まず、分周クロック信号で１クロックの間、表示装置９1又は2の行電極（後述）の電位を第５電圧Ｖ5に維持し、次いで、分周クロック信号で１クロックが経過するたびに、当該行電極（後述）の電位を第８電圧Ｖ8→第１電圧Ｖ1→第４電圧Ｖ4と順次変化させて維持するパターンが一度だけ行われる。
【００３０】
さらに、保持期間は、ホメオトロピック配向である画素の配向状態を保持するともに、プレーナ配向である画素をフォーカルコニック配向に遷移させる電圧を印加するための駆動期間である。即ち、保持期間にあっては、まず、分周クロック信号で２クロックの間、表示装置９1又は2の行電極（後述）の電位を第３電圧Ｖ3に維持し、次いで、分周クロック信号で２クロックの間、当該行電極（後述）の電位を第６電圧Ｖ6に維持するパターンが繰り返される。そして、保持期間においても、リセット期間と同様に、前記最終的にプレーナ配向に遷移させる画素に印加される交流電圧の実効電圧と、前記最終的にフォーカルコニック配向に遷移させる画素に印加される交流電圧の実効電圧とは大きさが等しくなるものの、それらの交流電圧が上下動するときのパターンは互いに異なるものとなる。
【００３１】
さらに、表示装置９1、2は、コレステリック液晶パネル１９1、2及びドライバ２０1、2を含んで構成される。コレステリック液晶パネル１９1、2は、表示装置９1、2の平面視中央部に配されている。そして、コレステリック液晶パネル１９1、2は、コレステリック液晶が封入されたコレステリック液晶層（不図示）と、そのコレステリック液晶層の上面側で平面視横方向に伸びている複数の行電極（不図示）と、下面側で、平面視縦方向に伸びている複数の列電極（不図示）とを備え、それら両電極の交差点に画素が形成される。
【００３２】
また、ドライバ２０1、2は、コレステリック液晶パネル１９1、2の平面視左側と平面視上側とを囲むように配されている。そして、ドライバ２０1、2は、コレステリック液晶パネル１９1、2の行電極（不図示）と列電極（不図示）とを介し、左側ＣＯＭデータ出力１５及び左側ＳＥＧデータ出力１６から出力される左側ＣＯＭデータ及び左側ＳＥＧデータ或いは、右側ＣＯＭデータ出力１７及び右側ＳＥＧデータ出力１８から出力される右側ＣＯＭデータ及び右側ＳＥＧデータに従って、任意の画素に所定電圧を順次印加する。
【００３３】
具体的には、左側表示装置９1のドライバ２０1（以下、「左側ドライバ２０1」とも呼ぶ。）は、左側ＣＯＭデータ出力１５から左側ＣＯＭデータが出力され且つ左側ＳＥＧデータ出力１６から左側ＳＥＧデータが出力されると、分周回路１１から出力される分周クロック信号のパルスが立ち下がるたびに、左側ＣＯＭデータ出力１５から出力される左側ＣＯＭデータに対応するパネル駆動電圧を選択し、その選択されたパネル駆動電圧をコレステリック液晶パネル１９1の列電極（不図示）に出力する。また同様に、分周回路１１から出力される分周クロック信号のパルスが立ち下がるたびに、左側ＳＥＧデータ出力１６から出力されるＳＥＧデータに対応する電圧をパネル駆動電圧から選択し、その選択されたパネル駆動電圧をコレステリック液晶パネル１９1の行電極（不図示）に出力する。
【００３４】
また、右側表示装置９2のドライバ２０2（以下、「右側ドライバ２０2」とも呼ぶ。）は、右側ＣＯＭデータ出力１７から右側ＣＯＭデータが出力され且つ右側ＳＥＧデータ出力１８から右側ＳＥＧデータが出力されると、分周回路１１から出力される分周クロック信号のパルスが立ち下がるたびに、右側ＣＯＭデータ出力１７から出力される右側ＣＯＭデータに対応するパネル駆動電圧を選択し、その選択されたパネル駆動電圧をコレステリック液晶パネル１９2の列電極（不図示）に出力する。また同様に、分周回路１１から出力される分周クロック信号のパルスが立ち下がるたびに、右側ＳＥＧデータ出力１８から出力されるＳＥＧデータに対応する電圧をパネル駆動電圧から選択し、その選択されたパネル駆動電圧をコレステリック液晶パネル１９2の列電極（不図示）に出力する。
【００３５】
＜電子ブックリーダの動作＞
次に、ＣＰＵ４で実行されるページ捲り処理を、図６のフローチャートに従って説明する。このページ捲り処理は、Ｉ／Ｆ３からページ捲り指令が出力されると実行される処理であって、まずそのステップＳ１０１で、左側ステート信号の出力を開始させる指令（以下、「左側ステート信号開始指令」とも呼ぶ。）を左側カウンタ回路１２に出力する。
次にステップＳ１０２に移行して、左側表示装置９1の書き換えを開始させる指令（以下、「左側書き込み開始指令」とも呼ぶ。）をデータ変換回路１４に出力する。
【００３６】
次にステップＳ１０３に移行して、右側ステート信号の出力を開始させる指令（以下、「右側ステート信号開始指令」とも呼ぶ。）を右側カウンタ回路１３に出力する。
次にステップＳ１０４に移行して、右側表示装置９2の書き換えを開始させる指令（以下、「右側書き込み開始指令」とも呼ぶ。）をデータ変換回路１４に出力してから、この演算処理を終了する。
【００３７】
＜電子ブックリーダの具体的な動作＞
次に、本実施形態の電子ブックリーダの動作を具体的状況に基づいて詳細に説明する。
まず、それまで表示装置９1、2に表示されていたコンテンツを１ページ捲ったときのコンテンツ、つまり、次ページコンテンツを閲覧しようと、利用者がページ捲りボタン２を押し込み操作したとする。すると、ページ捲りボタン２によって、ページ捲り指令がＩ／Ｆ３に出力され、また、Ｉ／Ｆ３によって、その出力されたページ捲り指令がＣＰＵ４に入力される。そして、ＣＰＵ４によって、そのページ捲り指令に応じて次ページコンテンツの画像データが生成され、その生成された画像データがＶＲＡＭ７に格納される。
【００３８】
また、画像データが格納されると、ＣＰＵ４で、ページ捲り処理が実行され、図６に示すように、まずそのステップＳ１０１で、左側ステート信号開始指令が左側カウンタ回路１２に出力される。そして、左側カウンタ回路１２によって、図７（ｂ）に示すように、左側ドライバ２０1と右側カウンタ回路１３とに左側ステート信号の出力が開始される。
【００３９】
また、ステップＳ１０２で、左側書き込み開始指令がデータ変換回路１４に出力される。そして、データ変換回路１４によって、左側表示装置９1に表示させる画像データ、つまり、次ページコンテンツの画像データが平面視上側の画素列から順に１行ずつＶＲＡＭ７から読み出され、その読み出された画像データが左側ＣＯＭデータ出力１５と左側ＳＥＧデータ出力１６とに出力される。また、左側ＣＯＭデータ出力１５によって、データ変換回路１４から出力された画像データに基づいて左側ＣＯＭデータが生成され、その生成された左側ＣＯＭデータが左側ドライバ２０1に出力される。
【００４０】
そして、左側ドライバ２０1によって、図７（ｂ）に示すように、左側カウンタ回路１２から左側ステート信号が出力されると（時刻ｔ1）、図７（ｃ）に示すように、分周回路１１から出力されるクロック信号のパルスが立ち下がるたびに（時刻ｔ2、ｔ3、…）、左側ＣＯＭデータ出力１５から出力されたＣＯＭデータに対応するパネル駆動電圧が選択され、その選択されたパネル駆動電圧がコレステリック液晶パネル１９1の行電極（不図示）に出力される。また同時に、左側ドライバ２０1によって、左側ＳＥＧデータ出力１６から出力されたＳＥＧデータに対応するパネル駆動電圧が選択され、その選択されたパネル駆動電圧がコレステリック液晶パネル１９1の列電極（不図示）それぞれに出力される。そして、左側ドライバ２０1によって、コレステリック液晶パネル１９1でＤＤＳ駆動方法のリセット期間が開始され、図８（ａ）に示すように、コレステリック液晶パネル１９1に、一定パターンで変化する行電極の電位と一定パターンで変化する列電極の電位との電位差、つまり、常に一定パターンの交流電圧が印加開始される。
【００４１】
また、ステップＳ１０３で、右側ステート信号開始指令が右側カウンタ回路１３に出力される。そして、右側カウンタ回路１３によって、図７（ｄ）に示すように、右側ドライバ２０2に左側ステート信号と半周期ずれた右側ステート信号の出力が開始される。
さらに、ステップＳ１０４で、右側書き込み開始指令がデータ変換回路１４に出力される。そして、データ変換回路１４によって、右側表示装置９2に表示させる画像データ、つまり、次ページコンテンツの画像データが平面視上側の画素列から順に１行ずつＶＲＡＭ７から読み出され、その読み出された画像データが右側ＣＯＭデータ出力１７と右側ＳＥＧデータ出力１８とに出力される。また、右側ＣＯＭデータ出力１７によって、データ変換回路１４から出力された画像データに基づいて右側ＣＯＭデータが生成され、その生成された右側ＣＯＭデータが右側ドライバ２０2に出力される。
【００４２】
そして、右側ドライバ２０2によって、図７（ｄ）に示すように、右側カウンタ回路１３から右側ステート信号が出力されると（時刻ｔ3）、図７（ｅ）に示すように、分周回路１１から出力されるクロック信号が立ち下がるたびに（時刻ｔ4、ｔ5、…）、右側ＣＯＭデータ出力１７から出力されたＣＯＭデータに対応するパネル駆動電圧が選択され、その選択されたパネル駆動電圧がコレステリック液晶パネル１９2の行電極（不図示）に出力される。また同時に、右側ドライバ２０2によって、右側ＳＥＧデータ出力１８から出力されたＳＥＧデータに対応するパネル駆動電圧が選択され、その選択されたパネル駆動電圧がコレステリック液晶パネル１９2の列電極（不図示）それぞれに出力される。そして、右側ドライバ２０2によって、右側表示装置９2のコレステリック液晶パネル１９2でＤＤＳ駆動方法のリセット期間が開始され、図８（ｂ）に示すように、左側表示装置９1のコレステリック液晶パネル１９2より２パルス分遅れて、コレステリック液晶パネル１９2に、一定パターンで変化する行電極の電位と一定パターンで変化する列電極の電位との電位差、つまり、常に一定パターンの交流電圧が印加開始される。
【００４３】
このように、本実施形態の電子ブックリーダにあっては、左側ドライバ２０1と右側ドライバ２０2とにＤＤＳ駆動を分周クロック信号の２パルス分（選択期間の半分）遅らせて順次開始させるようにした。そのため、左側ドライバ２０1と右側ドライバ２０2とでコレステリック液晶パネル１９1,2にほぼ同時に書き換えを行うことができ、例えば、左側ドライバ２０1でＤＤＳ駆動が終了した後に、右側ドライバ２０2でＤＤＳ駆動を開始する方法に比べ、ＤＤＳ駆動による書き換えに要する時間を短くすることができる。
【００４４】
ちなみに、左側ドライバ２０1でＤＤＳ駆動が終了した後に、右側ドライバ２０2でＤＤＳ駆動を開始する従来の方法にあっては、例えば、リセット期間で４８msec.、選択期間で１msec.、保持期間で４８msec.かかるとすると、１０００ラインの画素列がある高精細なコレステリック液晶パネル１９1,2を２枚書換えるためには、合計２秒以上（＝（４８msec.＋１０００msec.＋４８msec.）×２）の時間がかかってしまう。
【００４５】
また、本実施形態によれば、リセット期間中や保持期間中は、各コレステリック液晶パネル１９1,2の印加電圧を異なるタイミングで上下させ、コレステリック液晶パネル１９1,2毎に印加電圧が最大となるタイミングをずらすことができ、例えば、左側ドライバ２０1と右側ドライバ２０2とにＤＤＳ駆動を同時に開始させる方法、つまり、印加電圧が同時に最大となる方法に比べ、ＤＤＳ駆動による消費電力を小さくすることができる。
【００４６】
つまり、左側ドライバ２０1と右側ドライバ２０2とにＤＤＳ駆動を同時に開始させる従来の方法にあっては、印加電圧が最大（第８電圧Ｖ8）となると、消費電力Ｐはα×（Ｖ8＋Ｖ8）2(αは定数)となるのに比べ、本実施形態の方法によれば、消費電力Ｐはα×(Ｖ8＋Ｖ5)2となり、その差α×（３Ｖ82−２Ｖ8Ｖ5−Ｖ52）だけ、消費電力を小さくすることができる。また、消費電力を小さくすることで消費電力量を小さくすることができ、さらに、印加電圧が最大となるタイミングがずれることで、瞬間的な電圧降下量を小さくすることができ、電池の持ち時間を長くすることが可能となる。
【００４７】
＜第２実施形態＞
次に、本発明の情報表示装置を適用した電子ブックリーダの第２実施形態を説明する。
この第２実施形態は、ＤＤＳ駆動を行うための電力を電池で供給すると共に、その電池に蓄積されている電力が所定閾値以下であるときに、左側ドライバ２０1でＤＤＳ駆動が終了した後に、右側ドライバ２０2にＤＤＳ駆動を開始させるようにした点が前記第１実施形態と異なる。具体的には、この第２実施形態は、図９に示すように、パネル駆動電圧を出力するための電力をディスプレイコントローラ８に供給する電池２１と、その電池２１の出力電圧を検出する電圧検出回路２２とを備える。また、この第２実施形態は、所定時間が経過するたびに、電圧検出回路２２による検出結果に応じて、コレステリック液晶パネル１９1,2の駆動方法を設定する駆動方法設定処理（後述）をＣＰＵ４で実行する。
なお、この第２実施形態は、前記第１実施形態と同等の構成やステップを多く含んでおり、同等の構成等には同じ符号を付して、その詳細な説明を省略する。
【００４８】
＜電子ブックリーダの動作＞
次に、ＣＰＵ４で実行される駆動方法設定処理を、図１０のフローチャートに従って説明する。この駆動方法設定処理は、所定時間（例えば、１０msec.）が経過するたびに実行される処理であって、まずそのステップＳ２０１で、電池２１に蓄積されている電力の残量（以下、「電池残量」とも呼ぶ。）を検出する。具体的には、電池残量が小さいほど電池２１の出力電圧が小さくなるため、電圧検出回路２２による検出結果、つまり、電池２１からディスプレイコントローラ８への出力電圧を読み込み、電池残量を計測する。
【００４９】
次にステップＳ２０２に移行して、前記ステップＳ２０１で読み込まれた検出結果が所定閾値（コレステリック液晶パネル１９1,2に同時に印加する交流電圧の和が瞬間的な最大値となるときに消費される電力量）以下であるか否かを判定する。そして、所定閾値以下である場合には（Ｙｅｓ）ステップＳ２０３に移行し、所定閾値より大きい場合には（Ｎｏ）この演算処理を終了する。
【００５０】
前記ステップＳ２０３では、左側ドライバ２０1と右側ドライバ２０2とにＤＤＳ駆動を分周クロック信号の２パルス分遅らせて順次開始させる駆動方法に代えて、左側ドライバ２０1でＤＤＳ駆動が終了した後に、右側ドライバ２０2にＤＤＳ駆動を開始させる駆動方法にドライバ２０1,2の駆動方法を設定してから、この演算処理を終了する。
【００５１】
このように、本実施形態の電子ブックリーダにあっては、電池残量が所定閾値以下であるときには、左側ドライバ２０1でＤＤＳ駆動が終了した後に、右側ドライバ２０2にＤＤＳ駆動を開始させるようにした。そのため、例えば、ドライバ２０1,2でコレステリック液晶パネル１９1,2に同時に印加する交流電圧の和が瞬間的な最大値となるときに消費される電力量より電池２１で出力可能な電力値が小さいとき、つまり、前記交流電圧の和の最大値が出力できないくらいに電池残量が小さいときに、ＤＤＳ駆動による電圧降下量をより小さくすることができ、その結果、ＤＤＳ駆動を行うための電池２１をより長い時間持たせることができる。
【００５２】
以上、コレステリック液晶パネル１９1,2は特許請求の範囲に記載の表示領域を構成し、以下同様に、図２及び図９のＣＰＵ４、図２、図３及び図９のドライバ２０1,2、図６のステップＳ１０１〜Ｓ１０４が駆動回路を構成し、図２及び図９のＣＰＵ４、図２、図３及び図９のディスプレイコントローラ８、図２の左側カウンタ回路１２及び右側カウンタ回路１３、図６のステップＳ１０１〜Ｓ１０４が制御回路を構成し、図９の電池２１が電力蓄積手段を構成し、図９のＣＰＵ４及び電圧検出回路２２、図１０のステップＳ２０１が残量検出手段を構成し、図９のＣＰＵ４、図１０のステップＳ２０２及びＳ２０３動作状態設定手段を構成する。
【００５３】
なお、本発明の情報表示装置は、上記実施の形態の内容に限定されるものではなく、本発明の趣旨を逸脱しない範囲で適宜変更可能である。
上記実施の形態では、電子ブックリーダ１に２つの表示装置９1、2（コレステリック液晶パネル１９1,2）を配し、それら２つのコレステリック液晶パネル１９1,2（２つの表示領域）をそれぞれ２つのドライバ２０1,2でＤＤＳ駆動する例を示したが、これに限られるものではない。例えば、図１１に示すように、２つのドライバ２０1,2で、１つのコレステリック液晶パネル１９内に２つの表示領域を設け、それら２つの表示領域をそれぞれ２つのドライバ２０1,2でＤＤＳ駆動するようにしてもよい。
【図面の簡単な説明】
【００５４】
【図１】第１実施形態の電子ブックリーダの外観を示す概略構成図である。
【図２】電子ブックリーダの内部構成を示すブロック図である。
【図３】ディスプレイコントローラの内部構成を示すブロック図である。
【図４】ＤＤＳ駆動法による各画素列の動作状態を説明するための説明図である。
【図５】ＤＤＳ駆動法による各画素列の動作状態を説明するための説明図である。
【図６】ページ捲り処理を説明するためのフローチャートである。
【図７】第１実施形態の動作を説明するためのタイミングチャートである。
【図８】第１実施形態の動作を説明するためのタイミングチャートである。
【図９】第２実施形態の電子ブックリーダの内部構成を示すブロック図である。
【図１０】駆動方法設定処理を説明するためのフローチャートである。
【図１１】変形例を説明するためのブロック図である。
【符号の説明】
【００５５】
１は電子ブックリーダ、２はページ捲りボタン、３はＩ／Ｆ、４はＣＰＵ、５はＲＡＭ、６はＲＯＭ、７はＶＲＡＭ、８はディスプレイコントローラ、９1、2は表示装置、１０はバス、１１は分周回路、１２は左側カウンタ回路、１３は右側カウンタ回路、１４はデータ変換回路、１５は左側ＣＯＭデータ出力、１６は左側ＳＥＧデータ出力、１７は右側ＣＯＭデータ出力、１８は右側ＳＥＧデータ出力、１９1、2はコレステリック液晶パネル、２０1,2はコレステリック液晶用ドライバ、２１は電池、２２は電圧検出回路
【図１】
2006064912.tif 000003
【図２】
2006064912.tif 000004
【図３】
2006064912.tif 000005
【図４】
2006064912.tif 000006
【図５】
2006064912.tif 000007
【図６】
2006064912.tif 000008
【図７】
2006064912.tif 000009
【図８】
2006064912.tif 000010
【図９】
2006064912.tif 000011
【図１０】
2006064912.tif 000012
【図１１】
2006064912.tif 000013